(57)【要約】【課題】フードとフロントシールドとの間に設けられるカウルから車幅方向外側へ流出する気流及びフロントフェンダの側面に沿って流れる気流がフロントピラー周囲で乱れを形成することを防止した整流装置を提供する。【解決手段】フード５０の後縁部とフロントシールド１０の下端部との間に設けられたカウル部６０と、フェンダ７０とを有する車両１に設けられる整流装置を、フェンダの側面部であってフードの後縁部と隣接する領域に設けられ、車両の走行時の気流によって後方側に負圧を発生させる負圧発生部を有する整流部材１００を備え、フェンダは、フードの側端部近傍に正面視の断面形状において曲率が局所的に大きくなる変曲点７３が形成され、負圧発生部は全体が変曲点よりも車幅方向外側に設けられるとともに少なくとも一部は、フェンダの表面における変曲点の近傍に配置される構成とする。【選択図】図４
2017165325.tif 000002
【特許請求の範囲】
【請求項１】
車室前部に設けられたフロントシールドと、
前記フロントシールドの前方側に設けられたフードと、
前記フードの後縁部と前記フロントシールドの下端部との間に設けられたカウル部と、
前記フード及び前記カウル部の車幅方向外側に設けられたフェンダと
を有する車両に設けられる整流装置であって、
前記フェンダの側面部であって前記フードの後縁部と隣接する領域に設けられ、車両の走行時の気流によって後方側に負圧を発生させる負圧発生部を有する整流部材を備え、
前記フェンダは、前記フードの側端部近傍に正面視の断面形状において曲率が局所的に大きくなる変曲点が形成され、
前記負圧発生部は全体が前記変曲点よりも車幅方向外側に設けられるとともに少なくとも一部は、前記フェンダの表面における前記変曲点の近傍に配置されること
を特徴とする整流装置。
【請求項２】
車両前面視において前記負圧発生部における前記変曲点に最も近接した箇所は、前記変曲点からの前記フェンダの表面に沿った距離が車両走行時に車室内において測定される空力騒音を含む全ての音と、空力騒音との音圧レベルの差が３ｄＢとなる車速において前記フェンダの表面に形成される境界層の厚さ以下であること
を特徴とする請求項１に記載の整流装置。
【請求項３】
前記整流部材は、車両側面視において上方に負圧を発生する方向に配置された翼型を有し、
前記負圧発生部は、前記翼型の上面部に設けられること
を特徴とする請求項１又は請求項２に記載の整流装置。
【請求項４】
前記翼型は迎角がプラスとなるよう配置されること
を特徴とする請求項３に記載の整流装置。
【請求項５】
前記負圧発生部における前記変曲点に最も近接した箇所は、前記翼型の翼厚が最大となる部位であること
を特徴とする請求項３又は請求項４に記載の整流装置。
【請求項６】
前記翼型の後縁部は、上下方向における位置がドアミラーの下端部よりも下方に配置され、前後方向における位置がドア前端縁部近傍に配置されること
を特徴とする請求項３から請求項５までのいずれか１項に記載の整流装置。
【請求項７】
前記整流部材に車両外部の状況を撮像する撮像手段を設けたこと
を特徴とする請求項１から請求項６までのいずれか１項に記載の整流装置。
【請求項８】
前記撮像手段は、車両の後方、側方、下方の少なくとも一方を撮像すること
を特徴とする請求項７に記載の整流装置。
【発明の詳細な説明】
【技術分野】
【０００１】
本発明は、自動車のフロントフェンダから突出して設けられる整流装置に関し、特にフードとフロントシールドとの間に設けられるカウルから車幅方向外側へ流出する気流及びフロントフェンダの側面に沿って流れる気流がフロントピラー周囲で乱れを形成することを防止したものに関する。
【背景技術】
【０００２】
乗用車等の自動車の車体においては、車室前部に設けられるガラスであるフロントシールドの両端部を、柱状部材であるフロントピラー（Ａピラー）によって支持する構成が一般的である。
車両の走行によって車体の周囲に形成される気流である走行風がフロントシールドの中央側から側端側へ流れ、フロントピラーの周囲で縦渦等の乱れが生じると、いわゆる風切り音などの空力的騒音の原因となり、車両の静粛性、質感、快適性などが損なわれてしまう。
【０００３】
Ａピラー周囲の走行風を整流することによる静粛性向上に関する従来技術として、例えば特許文献１には、フロントピラーの表面部にウインドシールドガラス（フロントシールド）の側端部を覆うモール部を有するアウタモールを装着することが記載されている。
また、特許文献２には、フロントピラー周囲の空力性能の向上を図るため、フロントピラーとその外側に取り付けられるピラーアウターカバーとの間に空気が流通する所定形状の流通路を形成することが記載されている。
【先行技術文献】
【特許文献】
【０００４】
【特許文献１】特開２０１１−２５５７５８号公報
【特許文献２】特開２０１４−  ６９６１１号公報
【発明の概要】
【発明が解決しようとする課題】
【０００５】
車室の前方に、フロントフードが設けられた車両においては、フロントフードの後縁部とフロントシールドとの間に、ワイパブレード等が収容されるカウル部が設けられる。
カウル部は、通常フロントフードの後縁部に対して下方に凹ませた凹部として形成され、フロントシールド下端部の実質的に全幅にわたって形成されている。
このようなカウル部を有する車両においては、前方からの気流がカウル部内に流入し、カウル部内を中央部から左右サイド部へ流れた気流が車幅方向側端部でフェンダを乗り越えて後方に吹き流され、フロントピラー後方の縦渦に巻き込まれることによって、フロントピラー後方の風切音を悪化させる場合がある。
また、車両のフロントバンパ側部からフロントフェンダの側面に沿って進行する気流が、上述したカウル部内からの気流と合流してフロントピラー周辺に流入すると、フロントピラー後方の気流の乱れを増大させ、風切音を悪化させてしまう。
上述した問題に鑑み、本発明の課題は、フードとフロントシールドとの間に設けられるカウルから車幅方向外側へ流出する気流及びフロントフェンダの側面に沿って流れる気流がフロントピラー周囲で乱れを形成することを防止した整流装置を提供することである。
【課題を解決するための手段】
【０００６】
本発明は、以下のような解決手段により、上述した課題を解決する。
請求項１に係る発明は、車室前部に設けられたフロントシールドと、前記フロントシールドの前方側に設けられたフードと、前記フードの後縁部と前記フロントシールドの下端部との間に設けられたカウル部と、前記フード及び前記カウル部の車幅方向外側に設けられたフェンダとを有する車両に設けられる整流装置であって、前記フェンダの側面部であって前記フードの後縁部と隣接する領域に設けられ、車両の走行時の気流によって後方側に負圧を発生させる負圧発生部を有する整流部材を備え、前記フェンダは、前記フードの側端部近傍に正面視の断面形状において曲率が局所的に大きくなる変曲点が形成され、前記負圧発生部は全体が前記変曲点よりも車幅方向外側に設けられるとともに少なくとも一部は、前記フェンダの表面における前記変曲点の近傍に配置されることを特徴とする整流装置である。
これによれば、カウル部からフェンダ側へ吹き出し、フェンダの上面を乗り越えて変曲点において剥離する気流、及び、変曲点においてこの気流の一部が側面部側へ巻き込んで形成される渦流が、整流手段の負圧発生部が発生する負圧によって下方へ誘導されるため、フロントピラーの基部側へ吹き流されてフロントピラーの周囲で縦渦等の乱れを形成することを防止でき、車両走行時の空力的騒音（いわゆる風切音）を低減することができる。
また、負圧発生部の全体が変曲点よりも下方に配置されることによって、フェンダの側面部に沿って流れる気流も良好に下方に誘導し、フロントピラーの周囲で空力騒音を増大させることを防止できる。
【０００７】
請求項２に係る発明は、車両前面視において前記負圧発生部における前記変曲点に最も近接した箇所は、前記変曲点からの前記フェンダの表面に沿った距離が車両走行時に車室内において測定される空力騒音を含む全ての音と、空力騒音との音圧レベルの差が３ｄＢとなる車速において前記フェンダの表面に形成される境界層の厚さ以下であることを特徴とする請求項１に記載の整流装置である。
これによれば、フロントフェンダ上面に沿って流れる気流が変曲点において剥離して形成される渦流の半径内に、負圧発生部の一部が配置されることによって、車両全体の騒音において空力騒音の影響が顕著となる速度域において、確実に上述した効果を得て静粛性を向上することができる。
【０００８】
請求項３に係る発明は、前記整流部材は、車両側面視において上方に負圧を発生する方向に配置された翼型を有し、前記負圧発生部は、前記翼型の上面部に設けられることを特徴とする請求項１又は請求項２に記載の整流装置である。
これによれば、整流部材が翼型を有することによって走行風を利用して効率よく強い負圧を発生することができ、上述した効果を促進することができる。
請求項４に係る発明は、前記翼型は迎角がプラスとなるよう配置されることを特徴とする請求項３に記載の整流装置である。
これによれば、翼型上面部に形成される負圧をより大きくすることができる。
請求項５に係る発明は、前記負圧発生部における前記変曲点に最も近接した箇所は、前記翼型の翼厚が最大となる部位であることを特徴とする請求項３又は請求項４に記載の整流装置である。
これによれば、カウル部から車幅方向に吹き出す気流を、翼型が発生し得る最大の負圧で下方へ誘導することができ、上述した効果をよりいっそう促進することができる。
請求項６に係る発明は、前記翼型の後縁部は、上下方向における位置がドアミラーの下端部よりも下方に配置され、前後方向における位置がドア前端縁部近傍に配置されることを特徴とする請求項３から請求項５までのいずれか１項に記載の整流装置である。
これによれば、カウル部から吹き出した気流が翼型が発生する負圧によって下方に誘導された後、ドアミラーの下方を抜けてドアパネル側面部に沿ってスムースに流れるようにすることができる。
【０００９】
請求項７に係る発明は、前記整流部材に車両外部の状況を撮像する撮像手段を設けたことを特徴とする請求項１から請求項６までのいずれか１項に記載の整流装置である。
請求項８に係る発明は、前記撮像手段は、車両の後方、側方、下方の少なくとも一方を撮像することを特徴とする請求項７に記載の整流装置である。
これらの各発明によれば、撮像手段を設置するために整流装置の他に専用の突起物等を設ける必要がなく、車両の空力性能や、意匠性などの外観品質を向上することができる。
また、部品点数の増加を抑制して車両全体としての構造の簡素化、軽量化を図ることができる。
【発明の効果】
【００１０】
以上説明したように、本発明によれば、フードとフロントシールドとの間に設けられるカウルから車幅方向外側へ流出する気流及びフロントフェンダの側面に沿って流れる気流がフロントピラー周囲で乱れを形成することを防止した整流装置を提供することができる。
【図面の簡単な説明】
【００１１】
【図１】本発明を適用した整流装置の実施例１を有する車両の車体前部の模式的側面図である。
【図２】図１のII部拡大図である。
【図３】図１のIII−III部を模式的に示す図である。
【図４】図３のIV−IV部模式的断面図である。
【図５】本発明の参考例である車両における走行時のカウル部周囲の気流を模式的に示す図である。
【図６】実施例１の整流装置を有する車両における走行時のカウル部周囲の気流を模式的に示す図である。
【図７】本発明を適用した整流装置の実施例２を有する車両の車体前部の模式的側面図である。
【図８】本発明を適用した整流装置の実施例３を有する車両の車体前部の模式的側面図である。
【図９】本発明を適用した整流装置の実施例４を有する車両の車体前部の模式的側面図である。
【発明を実施するための形態】
【００１２】
本発明は、フードとフロントシールドとの間に設けられるカウルから車幅方向外側へ流出する気流及びフロントフェンダの側面に沿って流れる気流がフロントピラー周囲で乱れを形成することを防止した整流装置を提供する課題を、カウル部側方のフェンダの側面部から突出し走行風によって負圧を発生する負圧発生部を設けるとともに、負圧発生部の一部をフェンダ上面部と側面部との境界部に設けられる変曲点から、所定車速で走行時にフェンダ上面に沿って流れる気流の境界層厚さ以内の箇所に設けることによって解決した。
【実施例１】
【００１３】
以下、本発明を適用した整流装置の実施例１について説明する。
実施例１の整流装置は、例えば、車室前方にエンジンルームが設けられる、いわゆる２ボックス又は３ボックスの車型を有する乗用車等の自動車に設けられるものである。
【００１４】
図１は、実施例１の整流装置を有する車両の車体前部の模式的側面視図である。
図２は、図１のII部拡大図である。
図３は、図１のIII−III部を模式的に示す図である。
図４（ａ）は、図３のIV−IV部模式的断面図である。
なお、各図において、車両１の走行時に形成される気流（走行風）Ｆを太線破線矢印において模式的に図示する。
車両１は、フロントシールド１０、フロントピラー２０、ルーフ３０、フロントドア４０、フード５０、カウル６０、フェンダ７０、バンパフェイス８０、フロントコンビネーションランプ９０、整流部材１００等を有して構成されている。
【００１５】
フロントシールド１０は、車室前部に設けられたウインドウガラスである。
フロントシールド１０は、ほぼ矩形状に形成されるとともに、上端部１１が下端部１２に対して車両後方側となるように後傾して配置されている。
下端部１２は、図３に示すように、平面視において車両前方側が凸となる曲線状に形成されている。
フロントシールド１０の側端部１３は、フロントピラー２０に沿って配置されている。
フロントシールド１０は、車両前方側が凸となるように湾曲（ラウンド）して形成された２次曲面の合わせガラスである。
【００１６】
フロントピラー（Ａピラー）２０は、フロントシールド１０の側端部１３に沿って延在する車体構造部材である。
フロントピラー２０の後縁部は、フロントドア４０上部のフロントドアガラスの周囲に形成されたサッシュ部と隣接して配置されている。
【００１７】
ルーフ３０は、車室の上面部を構成するパネル状の部分である。
ルーフ３０は、フロントシールド１０の上端部から車両後方側へ延在している。
【００１８】
フロントドア４０は、車室前部の側面部に設けられた開閉扉である。
フロントドア４０は、前端部に設けられた図示しないヒンジ回りに揺動して開閉する。
フロントドア４０は、フロントドアガラス４１、ドアサッシュ４２、ドアミラー４３等を有する。
フロントドアガラス４１は、フロントドア４０の上方に設けられている。
ドアサッシュ４２は、フロンドドアガラス４１の前縁部、上縁部等に沿って形成され、フロントドアガラス４１を保持する枠体である。
ドアサッシュ４２の前縁部は、フロントピラー２０に沿って配置され、上縁部はルーフ３０の側端部に設けられたルーフサイドフレームに沿って配置されている。
ドアミラー４３は、フロントドア４０の本体部の外表面部を構成するドアアウタパネルにおける前方上部の領域に設けられた後方確認装置である。
ドアミラー４３は、ドアアウタパネルから突出したステーによって支持されている。
ドアミラー４３は、ミラー本体、角度調節機構、可倒式格納機構等をハウジング内に収容して構成されている。
【００１９】
フード５０は、エンジンルームの上部を覆って設けられる外装部材であって、開閉式の蓋状体として構成されている。
フード５０は、車両平面視において実質的に矩形状に形成され、前端部が後端部に対してやや低くなるように傾斜して配置されている。なお、この傾斜角はフロントシールド１０の傾斜角に対して小さい。
フード５０は、後端部に設けられたヒンジ回りに前端部が昇降する方向に揺動して開閉する。
フード５０の後縁部５１は、フロントシールド１０の下端部１２の前方側に、車両前後方向に間隔を隔てて配置されている。
後縁部５１は、図３に示すように、平面視において車両前方が凸となる曲線状に形成されている。
フード５０の側縁部５２は、フェンダ７０の上面部７１の車幅方向内側の端縁と、不可避的に設けられる隙間を介して隣接して配置されている。
【００２０】
カウル６０は、フード５０の後縁部５１よりも後方側であって、フロントシールド１０の下端部１２よりも前方側の領域に設けられ、フード５０の表面に対して下方に凹んで形成された凹部である。
カウル６０は、例えば樹脂系材料によって下方に凹んだトレイ状に形成されたカウルトップパネル内に、ワイパアーム等を収容して構成されている。
カウル６０の車幅方向における側端部は、フェンダ７０の上面部７１の後端部近傍の領域と隣接して配置されている。
【００２１】
フェンダ７０は、エンジンルームの側面部等を構成する車両の外装部材である。
フェンダ７０は、図４に示すように、上面部７１、側面部７２等を有して構成されている。
【００２２】
上面部７１は、フード５０の側縁部５２、及び、カウル６０の側端部と隣接する領域であって、フード５０の表面部を形成する曲面を車幅方向外側に延長した曲面にほぼ沿って形成されている。
【００２３】
側面部７２は、上面部７１の車幅方向外側の端部近傍から、下方へ延びて形成されている。
側面部７２は、車体外側が凸となる緩曲面として形成されている。
上面部７１と側面部７２との境界部には、曲面の曲率が局所的に大きくなり、フェンダ７０のいわゆる稜線（屈曲線）を形成する変曲点７３が、車両前後方向に連続して形成されている。
また、側面部７２には、前輪ＦＷが収容されるホイールハウスの開口７４が形成されている。
【００２４】
バンパフェイス８０は、車両前端部の下部に設けられる樹脂製の外装部材である。
バンパフェイス８０は、フェンダ７０における開口７４の前方側に設けられている。
フロントコンビネーションランプ９０は、前照灯、車幅灯、ターンシグナル灯などの各種灯火装置を、共通のハウジング内に収容しユニット化したものである。
フロントコンビネーションランプ９０は、車両前端部においてフード５０の下方側であってバンパフェイス８０の上方側に配置されている。
【００２５】
整流部材１００は、実施例１の整流装置の本体部を構成するものである。
整流部材１００は、フェンダ７０の側面部７２における上端部近傍から、車幅方向外側に突出して形成されている。
図２に示すように、整流部材１００は、車幅方向から見た形状が翼型（フォイル）を有し、上面部１０１、下面部１０２、前縁部１０３、後縁部１０４、翼端部１０５等を有する。
【００２６】
上面部１０１、下面部１０２は、それぞれ上方が凸となるように湾曲して形成された曲面である。
上面部１０１は、下面部１０２の上方側に配置されるとともに、曲率が下面部１０２に対して大きく形成されている。
上面部１０１、下面部１０２の前端部及び後端部は、それぞれ前縁部１０３、後縁部１０４によって接続されている。
前縁部１０３、後縁部１０４は、上面部１０１、下面部１０２に対して曲率が小さい凸曲面状に形成されている。
翼端部１０５は、整流部材１００の突端部（翼端）に形成された平板状の表面部である。
【００２７】
整流部材１００において、上面部１０１と下面部１０２との中点を順次結んで得られる曲線である翼型中心線ＣＬは、上方が凸となる曲線状に設定されている。
また、整流部材１００は、前縁部１０３を後縁部１０４に対して上方に配置することによって、プラスの迎角を有するよう配置されている。
迎角は、図１に示すように、左側を前方とした車両側面視において、水平方向を０°として時計回りをプラスとする。
このような整流部材１００において、車両の走行時に車両前方側（図１，２における左側）から気流を受けると、上面部１０１の表面部に負圧が発生する。この箇所は、本発明にいう負圧発生部として機能する。
上面部１０１において、特に、翼厚が最大となる箇所１０１ａにおいて負圧は実質的に最大となる。この箇所は、本発明にいう負圧発生部として機能する。
【００２８】
また、整流部材１００は、外表面の一部を透明な材料によって構成するとともに、その内部にＣＣＤセンサやＣＭＯＳセンサ等の固体撮像素子を有するカメラを設けることができる。
このようなカメラは、車両の側方、下方、後方等の周囲の状況を撮影し、得られた画像をドライバが目視可能な画像表示装置に表示することによって、ドアミラーに代わる後方確認手段として用いたり、例えば障害物検出、車線検出、駐車区画検出などの他の用途に用いることができる。
【００２９】
図１に示すように、整流部材１００の後端部は、高さ方向における位置がドアミラー４３の下端部よりも下方に配置されるとともに、前後方向における位置がフロントドア４０の前端部近傍に配置されている。
【００３０】
図３に示すように、実施例１においては、車両１を鉛直方向上方から見た平面視において、フロントシールド１０の下端部１２の曲率が、フード５０の後縁部５１の曲率よりも大きく（ラウンドが急に）なっている。
ここで、フロントシールド１０の下端部１２を、同一の曲率のまま車幅方向外側へ延長して、第１の仮想線（シールド延長仮想曲線）Ｌ１を設定する。
また、フロントシールド１０の下端部１２における接線を、車幅方向外側へ延長して、第２の仮想線（シールド延長仮想直線）Ｌ２を設定する。
【００３１】
また、第１の仮想線Ｌ１を、フード５０の後縁部５１の車幅方向外側の端部を通るよう前進させて、第３の仮想線（フード延長仮想曲線）Ｌ３を設定する。
また、第２の仮想線Ｌ２を、フード５０の後縁部５１の車幅方向外側の端部を通るよう前進させて、第４の仮想線（フード延長仮想直線）Ｌ４を設定する。
実施例１においては、整流部材１００の負圧発生部（最大翼厚箇所）は、上述した第１乃至第４の仮想線Ｌ１〜Ｌ４に対して、車両前方側に配置されている。
【００３２】
図４に示すように、整流部材１００における負圧発生部は、実質的に全体が、フェンダ７０の上面部７１の表面を正面視したときの曲線を車幅方向外側に延長した仮想線Ｌｆに対して下方に配置されている。
ここで、例えば、車室内における運転席の運転者耳部位置にマイクを設置して測定される車両１の車室内騒音全て（空力騒音に加えてエンジン、駆動系のノイズ、タイヤのロードノイズ、パターンノイズ等を含む）に対して、空力騒音（風切音）のみの音圧レベルの差が３ｄＢとなる車速（車種などにより異なるが、一例として、約８０ｋｍ／ｈ程度）で走行したときに、カウル６０からフェンダ７０側へ吹き出し、上面部７１に沿って変曲点７３側へ流れる気流によって上面部７１の表面に形成される境界層の厚さをδとする。
フェンダ７０の上面部７１に沿って流れる気流Ｆは、変曲点７３においてフェンダ７０の表面から剥離する。
このとき、気流Ｆのうちフェンダ７０の表面近傍の一部の成分は、変曲点７３にほぼ沿った軸回りに、図４における時計回りに旋回する渦流Ｔとなり、仮に整流部材１００が存在しない場合には、側面部７２に衝突して乱流となって後方側へ流れることになる。
この渦流Ｔの半径は、実質的に、上述した境界層の厚さδと一致する。
そこで、整流部材１００の上端部における変曲点７３からのフェンダ７０の側面部７２に沿った距離ｄは、δよりも小さく設定されている。
このような構成により、渦流Ｔは、フェンダ７０の側面部７２に衝突する前に、整流部材１００によって形成される負圧によって後方側の斜め下方側へ流れるよう整流される。
なお、上記車速の設定時には、車両１の全騒音は、例えば、道路表面の凹凸を表す指標であって、３ｍ区間で計測する平坦度が、例えば０．８ｍｍ以内となる路面において測定する。
【００３３】
ここで、境界層の厚さδは、以下の式１によって求めることができる。
【数１】
2017165325.tif 000003
δ：境界層厚さ（ｍ）
ν：空気の動粘性係数（常温20℃で１．５１２（１０−５m２/ｓｅｃ）)
ｘ：フェンダ７０の上面部７１の気流に沿った長さ（ｍ）
Ｕ∞：空気の流速（ｍ／ｓｅｃ）
【００３４】
例えば、ｘ＝０．０５ｍ、Ｕ∞＝２２．２ｍ／ｓ（８０ｋｍ／ｈ）である場合には、境界層の厚さδ≒０．０００３（ｍ）となる。
整流部材１００の負圧発生部の少なくとも一部が、変曲点７３からのフェンダ７０の表面（側面部７２）に沿った距離ｄが、この境界層厚さδ以内の範囲に配置されることによって、渦流Ｔに対して効果的に負圧の影響を及ぼし、下方に誘導することができる。
【００３５】
以下、実施例１の整流装置の効果を、本発明の参考例と対比して説明する。
本発明の参考例における車両は、実施例１の整流装置を有する車両から、整流装置（整流部材１００）のみを除去したものである。
図５は、参考例の車両における走行時のカウル部周囲の気流を模式的に示す図である。
図５に示す参考例においては、フード５０に沿って流れる気流Ｆの一部は、フロントシールド１０との干渉によってカウル６０に流入し、カウル６０の凹部内を車幅方向内側から外側へ流れる。
カウル６０の車幅方向側端部からフェンダ７０の上面部７１を乗り越えて車幅方向外側へ吹き出した気流Ｆは、後方に噴き流されてフロントピラー２０の周囲の縦渦と合流し、フロントピラー２０の周囲の空気の乱れのエネルギを増大させ、空力騒音（風切音）を悪化させてしまう。
さらに、参考例の場合においては、車両のフロントバンパやホイールハウス等において発生し、フェンダ７０の側面部７２に沿って渦を巻きながら流れる気流Ｆｓも、上述した気流Ｆとフロントピラー２０の下端部近傍において合流し、空力騒音をさらに悪化させてしまう。
【００３６】
図６は、実施例１の整流装置を有する車両における走行時のカウル部周囲の気流を模式的に示す図である。
実施例１の整流装置を有する車両の場合には、走行風によって整流部材１００の上面部１０１の近傍に、他の領域に対して相対的に負圧となる領域が形成される。
カウル６０の車幅方向側端部からフェンダ７０の上面部７１を乗り越えて車幅方向外側へ吹き出した気流Ｆは、整流部材１００の後方側に形成される負圧によって、上面部１０１にほぼ沿って下方へ誘導され、整流部材１００の後縁部１０４付近から車両後方側へ吹き流されることによって、ドアミラー４３の下方を通ってフロンドドア４０のアウタパネル（車体側面部）に沿って車両後方側へ進行する。
また、上面部７１を乗り越えた気流Ｆの一部が形成する渦流Ｔも、側面部７２に衝突する前に整流部材１００の上面部１０１が生成する負圧によって、下方へ誘導されるため、渦が成長してフロントピラー２０の周囲に導入されることが防止される。
さらに、整流部材１００の全体が側面部７２から突出して設けられる構成としたことによって、フェンダ７０の側面部７２に沿って流れる気流Ｆｓも整流部材１００によって下方に誘導される。
このため、実施例１の整流装置を有する車両１においては、フロントピラー２０の周囲の空気の乱れのエネルギが参考例に対して抑制され、空力騒音を低減することができる。
【実施例２】
【００３７】
次に、本発明を適用した整流装置の実施例２について説明する。
以下説明する各実施例において、従前の実施例と実質的に共通する箇所には同じ符号を付して説明を省略し、主に相違点について説明する。
図７は、実施例２の整流装置を有する車両の車体前部の模式的側面図である。
【００３８】
実施例２の整流装置は、実施例１の整流部材１００に代えて、以下説明する整流部材１００Ａを有する。
整流部材１００Ａは、実施例１の整流部材１００と実質的に同様にフェンダ７０から突出して形成された平板状の部材である。
整流部材１００Ａは、前端部が後端部に対して高くなるよう傾斜して配置されている。
整流部材１００Ａの後端部は、高さ方向における位置がドアミラー４３の下端部よりも下方に配置されるとともに、前後方向における位置がフロントドア４０の前端部近傍に配置されている。
また、整流部材１００Ａの上端部（前端部）は、変曲点７３からの距離が境界層厚さδ以下となるように配置されている。
以上説明した実施例２においても、上述した実施例１の効果と実質的に同様の効果を得ることができる。
【実施例３】
【００３９】
次に、本発明を適用した整流装置の実施例３について説明する。
図８は、実施例３の整流装置を有する車両の車体前部の模式的側面図である。
実施例３の整流装置は、実施例１の整流部材１００に代えて、以下説明する整流部材１００Ｂを有する。
整流部材１００Ｂは、車幅方向から見た形状が実質的に楕円状となる突起を、フェンダ７０の側面部７２に上下方向に配列したものである。
各突起の正面視における形状は、例えば、実質的に半円状に形成されている。
突起は、上段に対して下段が車両後方側となるように、配列方向を前傾させて配置されている。
最上段の突起の前端部は、実施例１における整流部材１００の前縁部１０３と実質的に同じ位置に配置されている。
また、最上段の突起の上端部は、変曲点７３からの距離が境界層厚さδ以下となるように配置されている。
最下段の突起の後端部は、実施例１における整流部材１００の後縁部１０４と実質的に同じ位置に配置されている。
最下段の突起の後端部は、高さ方向における位置がドアミラー４３の下端部よりも下方に配置されるとともに、前後方向における位置がフロントドア４０の前端部近傍に配置されている。
以上説明した実施例３においても、上述した実施例１の効果と実質的に同様の効果を得ることができる。
【実施例４】
【００４０】
次に、本発明を適用した整流装置の実施例４について説明する。
図９は、実施例４の整流装置を有する車両の車体前部の模式的側面図である。
実施例４の整流装置は、実施例３の整流部材１００Ｂに代えて、以下説明する整流部材１００Ｃを有する。
整流部材１００Ｃは、車幅方向から見た形状が、楕円の後部を鉛直方向及び車幅方向にほぼ沿った平面に沿ってカットした実質的に釣鐘型あるいは弾丸型の突起を、フェンダ７０の側面部における上下方向に配列したものである。
各突起の正面視における形状は、例えば、実質的に半円状に形成されている。
各突起の配列は、実施例３の整流部材１００Ｂと実質的に同様である。
以上説明した実施例４においても、上述した実施例１の効果と実質的に同様の効果を得ることができる。
【００４１】
（変形例）
本発明は、以上説明した実施例に限定されることなく、種々の変形や変更が可能であって、それらも本発明の技術的範囲内である。
整流装置及び車両の各部を構成する各要素の形状、構造、材質、配置、数量、製法等は、上述した各実施例に限定されず、適宜変更することが可能である。
例えば、整流部材の形状、数量、配置等は、車両の走行時に後方側に負圧を発生可能である限り、適宜変更することができる。
また、整流部材の内部に後方撮影用の撮像手段を内装する場合には、ドアミラーを設けない構成とすることもできる。
【符号の説明】
【００４２】
１    車両
１０    フロントシールド                １１    上端部
１２    下端部                          １３    側端部
２０    フロントピラー（Ａピラー）      ３０    ルーフ
４０    フロントドア                    ４１    フロントドアガラス
４２    ドアサッシュ                    ４３    ドアミラー
５０    フード                          ５１    後縁部
５２    側端部                          ６０    カウル
７０    フェンダ                        ７１    上面部
７２    側面部                          ７３    変曲点
７４    開口                            ８０    バンパフェイス
９０    フロントコンビネーションランプ
１００    整流部材（実施例１）          １０１    上面部
１０１ａ  翼厚最大箇所                  １０２    下面部
１０３    前縁部                        １０４    後縁部
１０５    翼端部                          ＣＬ    翼型中心線
１００Ａ  整流部材（実施例２）
１００Ｂ  整流部材（実施例３）
１００Ｃ  整流部材（実施例４）
【図１】
2017165325.tif 000004
【図２】
2017165325.tif 000005
【図３】
2017165325.tif 000006
【図４】
2017165325.tif 000007
【図５】
2017165325.tif 000008
【図６】
2017165325.tif 000009
【図７】
2017165325.tif 000010
【図８】
2017165325.tif 000011
【図９】
2017165325.tif 000012